(57)【要約】リアプロジェクションシステムは、長方形の開口部を備えるリアプロジェクションキャビネットと、該開口部を覆うプロジェクションスクリーンと、キャビネットに少なくとも部分的に位置するプロジェクタとを有し、長方形の開口部の側面は曲げられる。開口部の側面は、プロジェクタによって投影される画像の側面の屈曲と少なくとも同じくらいに曲げられ、その屈曲はプロジェクタによって引き起こされた歪みによる。
2005520198.tif 000002
【特許請求の範囲】
【請求項１】
長方形の開口部を備えるリアプロジェクションキャビネットと、該開口部を覆うプロジェクションスクリーンと、該キャビネットに少なくとも部分的に位置するプロジェクタとを有して、前記長方形の開口部の側面が曲げられることを特徴とするリアプロジェクションシステム。
【請求項２】
前記開口部の前記側面は、前記プロジェクタによって投影される画像の側面の屈曲と少なくとも同じくらいに曲げられ、前記屈曲は前記プロジェクタによって引き起こされた歪みによることを特徴とする請求項１に記載のリアプロジェクションシステム。
【請求項３】
前記側面は前記開口部の中心に向かって曲げられることを特徴とする請求項１又は２に記載のリアプロジェクションシステム。
【発明の詳細な説明】
【技術分野】
【０００１】
本発明は、長方形の開口部を備えるリアプロジェクションキャビネットと、該開口部を覆うプロジェクションスクリーンと、キャビネットに少なくとも部分的に位置するプロジェクタとを有するリアプロジェクションシステムに関する。
【背景技術】
【０００２】
そのような装置は、プロジェクションスクリーンの見る側から遠隔側のプロジェクションスクリーン上のプロジェクタによって画像を投影する（例えば、特許文献１参照）。
【０００３】
それらの種類のプロジェクションシステムは、テレビ及びモニターの適用において関心が高まっている。そのような適用において、歪みの無い可視画像を得ることが重要である。これは、特にリアプロジェクションモニターの適用において重要である。なぜなら、文字及び数字などの画像のすべての情報が可視できることを保証するように、そのような適用において投影されたモニター画像は、可視のリアプロジェクションスクリーンよりも通常わずかに小さいためである。さらに、モニターの適用における画像において直線が頻繁に存在し、その結果、例えば、曲がった線などの歪みは容易に観察可能である。上述の特許文献１によるプロジェクションシステムにおいて、それのプロジェクションレンズ・システムが非常に小さな歪みを引き起こすことを保証する比較的高価なプロジェクタが使用されることを必要とする。しかしながら、非常にわずかな歪みを有するレンズシステムは、比較的高価である。
【特許文献１】米国特許第５，２８９，２８７号
【発明の開示】
【発明が解決しようとする課題】
【０００４】
本発明の目的は、歪みが無い可視画像を得る一方で、比較的低品質で安価なプロジェクタが使用できるリアプロジェクションシステムを提供することである。
【課題を解決するための手段】
【０００５】
本発明の目的は、長方形の開口部の側面が曲げられることで達成される。
【０００６】
長方形の開口部の側面を曲げることによって、開口部の形状は、例えば、プロジェクタのプロジェクションレンズ・システムによって引き起こされる歪みを有する画像の形状と同一となすことができる。従来のシステムのような歪みを回避する代わりに、開口部は歪みに適応される。そのような場合、直線における目の基準（eye  reference）は消えて、曲がった側面を備えた開口部で見られる投影された画像の歪みは、人間の目に見えなくなる。
【０００７】
本発明によるリアプロジェクションシステムの実施態様は、開口部の側面が、プロジェクタによって投影される画像の側面の屈曲と少なくとも同じくらいに曲げられ、その屈曲はプロジェクタによって引き起こされた歪みによることを特徴とする。
【０００８】
歪曲された画像と少なくとも同じくらいに曲げられる屈曲を開口部の側面に与えることによって、投影された画像の歪みが人間の目にとって可視できないことを保証する。
【０００９】
本発明によるプロジェクションシステムの別の実施態様は、側面が開口部の中心に向かって曲げられることを特徴とする。
【００１０】
比較的低品質の通常使用されるプロジェクションレンズ・システムにおいて、画像の中心に近接して投影された画像の各側面の真中が位置する、画像の歪みが生じるであろう。開口部の各側に開口部の中心へ向かう屈曲を与えることによって、歪みは可視できなくなる。
【００１１】
本発明によるリアプロジェクションシステムは、添付図を参照してより詳細に説明されるであろう。
【発明を実施するための最良の形態】
【００１２】
本発明によるリアプロジェクションシステム１は、リアプロジェクションを見るためのキャビネット３に手動で挿入できるドッキング可能なプロジェクタ２を含む。キャビネット３は、プロジェクションスクリーン５が設置される開口部４を有する。２つの鏡６及び７は、キャビネット３に位置する。プロジェクタ２からの光は、鏡６の手段によって上方に反射される。鏡６によって反射された光は、鏡７の手段によってリアプロジェクションスクリーン５の後部に向かって反射される。リアプロジェクションシステム１は、上述の特許文献１において、より詳細に記載される。
【００１３】
図２は、従来技術によるリアプロジェクションシステムの開口部４及びプロジェクションスクリーン５の正面図である。プロジェクタ２と、特に、そのプロジェクタ２に位置するプロジェクションレンズ・システムが比較的低品質である場合、プロジェクションスクリーン５の後部側上のプロジェクタ２の手段によって投影された画像８は、画像８の端部９、１０、１１、１２が開口部４の中心に向かって曲げられる、図２に示されるような形状を有するであろう。図２から分かるように、プロジェクションスクリーン５の部分１３は、画像が投影されない、開口部４の長方形の側面１４、１５間で可視できる。それらの部分１３は、明らかに人間の目にとって可視できて、歪んだ画像の印象を与えるであろう。
【００１４】
図３は本発明によるプロジェクションシステム１の正面図であり、長方形の開口部４の側面１４は半径Ｒ１の屈曲を有し、長方形の開口部４の側面１５は半径Ｒ２の屈曲を有する。
【００１５】
図２及び図３の両図において、従来のプロジェクションシステムの問題に関して良好な印象を与え、本発明によるリアプロジェクションシステム１による解決策を提供するように、部分１３は比較的大型で、半径Ｒ１及びＲ２は比較的小型であることを注意するべきである。実際には、半径Ｒ１及びＲ２は、より大型である。
【００１６】
図２の画像８と同様に、画像８がプロジェクションスクリーン５の後部側上で本発明によるリアプロジェクションシステム１によって投影される場合、人間の目は歪みが無い画像の印象を得るであろう。
【００１７】
歪みは、完全に長方形の窓からの変差の最大の百分率によって示すことができる。図２に示される従来技術のシステムにおいて、画像の許容可能な歪みはハイエンドのモニターの適用において０．５％より小さく、特別の適用としてモニターを備えたテレビにおいて１％より小さい。本発明によるシステムにおいて、歪みの無い画像の印象を有する一方で、例えば、画像の歪みは１．５乃至３％であってよい。
【００１８】
プロジェクタ２が、端部９、１０、１１、１２が開口部４の中心から離れて曲げられる画像８を生成する場合、開口部４の端部１４、１５をそれに応じて曲げる必要がある。
【００１９】
開口部４の特定の形状はプロジェクタに依存し、より詳細には、リアプロジェクションシステムのプロジェクタのレンズシステムによって引き起こされる歪みに依存する。
【００２０】
ドッキング可能なプロジェクタの代わりに、さらに、プロジェクタをキャビネットに永久的に非可視で設置することが可能である。
【図面の簡単な説明】
【００２１】
【図１】リアプロジェクションシステムの概略図である。
【図２】従来技術のリアプロジェクションシステムのキャビネットにおける開口部の正面図である。
【図３】本発明によるリアプロジェクションシステムのキャビネットにおける開口部の正面図である。
2005520198.tif 000003
【図２】
2005520198.tif 000004
【図３】
2005520198.tif 000005
【国際調査報告】
2005520198.tif 000006
2005520198.tif 000007